(57)【要約】【課題】遊技機に対する組み付け面積が少なく、貯留タンクから短時間に多くの遊技球を払い出すことができ、遊技球の球噛みや空送りのない遊技機を提供する。【解決手段】回転体１６ｇは、落下通路１６ｅへ落下した最先の遊技球Ｙ１を外周面１６ｍで受け止めたときに、その最先の遊技球Ｙ１に連なる次の遊技球Ｙ２のみを落下通路１６ｅに落下させ、その後続の遊技球Ｙ３，Ｙ４が傾斜通路１６ｄで連なるように配置されている。【選択図】図６
2010259631.tif 000002
【特許請求の範囲】
【請求項１】
遊技球を貯留する貯留タンクと接続するタンクレールの終端部に設けられ、所定数の遊技球を払い出す球払出部を備えた遊技機であって、前記球払出部は、
前記貯留タンクに接続されて遊技球が転がりながら流下する傾斜通路と、
前記傾斜通路に接続配置され、前記遊技球を落下させて球払出位置へ誘導する落下通路と、
前記落下通路内へ回転軌道が入り込んで回転可能に配置され、前記傾斜通路から落下した遊技球を外周面で受け止め、当該外周面の所定位置に形成された球受け凹部を回転させることにより前記外周面で受け止めた遊技球を前記球受け凹部に収容して前記落下通路の下流側へ流下させる回転体と、
前記回転体を所定速度で回転駆動させる駆動源と、を備え、
前記回転体は、前記落下通路へ落下した最先の遊技球を前記外周面で受け止めたときに、その最先の遊技球に連なる次の遊技球のみを前記落下通路へ落下させ、その後続の遊技球が前記傾斜通路で連なるように配置されていることを特徴とする遊技機。
【請求項２】
前記回転体は、前記落下通路の上流側で前記傾斜通路との接続部近傍に配置され、前記球受け凹部で最先の遊技球を収容して払い出すたびに、前記次の遊技球が前記最先の遊技球に追従して落下通路を落下して前記外周面で受け止められ、かつ、その次の遊技球に連なっていた後続の遊技球が前記傾斜通路を転動して前記落下通路へ落下することにより、最先となった遊技球と連なる動作が繰り返される請求項１記載の遊技機。
【請求項３】
前記傾斜通路と接続する前記落下通路は複数条形成されており、一つの回転体の外周面に位相を異にして形成された球受け凹部に遊技球が各々収容されて当該球受け凹部と前記落下通路の壁面との間に形成される通路内を交互に払い出される請求項１又は２記載の遊技機。
【請求項４】
前記回転体は、前記傾斜通路を遊技球が転がり落ちる転がり底壁面と連続する前記落下通路の側壁面開口部から当該落下通路内に突出して配置されている請求項１ないし３のいずれか１項に記載の遊技機。
【請求項５】
前記球払出部は、前記傾斜通路と、該傾斜通路に接続する落下通路とを形成するケース体に、前記駆動源により回転駆動される回転体が該落下通路の所定位置で回転可能に組み付けられた球払出装置として一体に形成されている請求項１乃至４のいずれか１項に記載の遊技機。
【請求項６】
前記貯留タンク、タンクレール及び球払出装置は、内枠上辺ユニットとして一体に組み付けられている請求項５記載の遊技機。
【発明の詳細な説明】
【技術分野】
【０００１】
本発明は、遊技機に関する。
【背景技術】
【０００２】
パチンコ機などの遊技機には、内枠の上辺部に設けられる貯留タンクにホールの島から遊技球が供給される。貯留タンクに供給された遊技球は、タンクレールを通じて内枠の側辺部に沿って上下に配置された球通路に整列して誘導され、当該球通路内を流下して球払出装置へ供給される。球払出装置は、払出指令に応じて所定数の貸球や賞球などの遊技球が球払出通路を経て球受け皿へ払い出されるようになっている。
【０００３】
近年の遊技機は、図柄表示装置（液晶表示装置）の大型化やセンター役物の大型化に伴い、遊技盤の背面側に設けられる部品点数が増大するため、遊技盤が装着される内枠側の機構部分の面積を縮小したいという要求がある。また、球払出装置の払出口の近傍には満タンスイッチが設けられる。球払出装置が球通路の下方に設けられると、球受け皿に払い出された遊技球が一杯になると遊技球が球払出通路へ積みあがり、満タンスイッチが頻繁にＯＮになって賞球の払出が停止する。このため、遊技者がドル箱を準備して球受け皿からの賞球の排出作業に追われる。特に前面枠に球受け皿が一体に設けられたタイプの遊技機においては、球受け皿が満タンになる時期が早まる傾向がある。また、球払出装置が下側にあると、球が多く連なる（待機する）ため、球圧を分散させるために、通路が複雑化したりする。また、球払出装置の上流側を２条にし、下流側を１条にしてしまうことが多いので、設置面積が拡大する。また、ホール全体としての遊技球も増加しなければならない。
【０００４】
よって、球受け皿やこれに連なる球通路に貯留される遊技球の貯留量をかせぐためには、球払出装置をできるだけ球通路の上流側に設けることがのぞましい。前面枠の装飾部材に覆われる内枠の上部コーナー部は比較的スペースに余裕がある。
このため、貯留タンクに接続するタンクレールを通じて若しくは貯留タンク内のガイド通路の終端部に接続する球通路の一部に球払出装置が設けられた遊技機が提案されている（特許文献１乃至３参照）。球払出装置には、モータにより回転駆動される球受け凹部が設けられたスプロケット、ロータなどの回転体が設けられている。回転体は球圧による影響を受け難くするため貯留タンクに近づけて配置される。
【先行技術文献】
【特許文献】
【０００５】
【特許文献１】特開２００３−２８４８４５号公報
【特許文献２】特開２００５−１２４６１９号公報
【特許文献３】特開２００５−１３７６６５号公報
【発明の開示】
【発明が解決しようとする課題】
【０００６】
上述した特許文献１及び２の遊技機においては、タンクレール若しくは貯留タンク内のガイド通路の終端部に球払出装置を配置すると、貯留タンクから傾斜面に沿って送り出された遊技球がコーナー部で落下方向の球通路に向きを変えて誘導されるため、遊技球に作用する接触力（連続する球圧や球通路との摩擦力）が変化する球通路で先頭の遊技球に連続して複数の遊技球が連なるため球詰まりが発生し易く、球払出装置においてモータにより回転駆動される回転体（スプロケット，ロータ）に球噛みが生じて遊技球が払い出されない球空送りが発生するおそれがある。特に回転体より球通過方向上流側にくの字形通路を設けて球圧を軽減しているため、球通路が複数列設けられる場合には球払出装置の設置面積も大きくなる。
【０００７】
また、特許文献３の遊技機においては、スプロケットの軸芯部とモータの駆動伝達機構を重ね合わせて配置することにより軸方向に薄型化を図っているが、駆動伝達機構は遊星歯車構を用いているため部品点数が多く、回転体としては径方向に大型化しているので、内枠背面側にスペースを要する。
【０００８】
本発明の目的は、上記従来技術の課題を解決し、遊技機に対する組み付け面積が少なく、貯留タンクから短時間に多くの遊技球を払い出すことができ、遊技球の球噛みや空送りのない遊技機を提供することにある。
【課題を解決するための手段】
【０００９】
本発明は上記目的を達成するため、次の構成を備えることを特徴とする。
遊技球を貯留する貯留タンクと接続するタンクレールの終端部に設けられ、所定数の遊技球を払い出す球払出部を備えた遊技機であって、前記球払出部は、前記貯留タンクに接続されて遊技球が転がりながら流下する傾斜通路と、前記傾斜通路に接続配置され、前記遊技球を落下させて球払出位置へ誘導する落下通路と、前記落下通路内へ回転軌道が入り込んで回転可能に配置され、前記傾斜通路から落下した遊技球を外周面で受け止め、当該外周面の所定位置に形成された球受け凹部を回転させることにより前記外周面で受け止めた遊技球を前記球受け凹部に収容して前記落下通路の下流側へ流下させる回転体と、前記回転体を所定速度で回転駆動させる駆動源と、を備え、前記回転体は、前記落下通路へ落下した最先の遊技球を前記外周面で受け止めたときに、その最先の遊技球に連なる次の遊技球のみを前記落下通路へ落下させ、その後続の遊技球が前記傾斜通路で連なるように配置されていることを特徴とする。
【００１０】
前記回転体は、前記落下通路の上流側で前記傾斜通路との接続部近傍に配置され、前記球受け凹部で最先の遊技球を収容して払い出すたびに、前記次の遊技球が前記最先の遊技球に追従して落下通路を落下して前記外周面で受け止められ、かつ、その次の遊技球に連なっていた後続の遊技球が前記傾斜通路を転動して前記落下通路へ落下することにより、最先となった遊技球と連なる動作が繰り返されることを特徴とする。
【００１１】
前記傾斜通路と接続する前記落下通路は複数条形成されており、一つの回転体の外周面に位相を異にして形成された球受け凹部に遊技球が各々収容されて当該球受け凹部と前記落下通路の壁面との間に形成される通路内を交互に払い出されることを特徴とする。
【００１２】
前記回転体は、前記傾斜通路を遊技球が転がり落ちる転がり底壁面と連続する前記落下通路の側壁面開口部から当該落下通路内に突出して配置されていることを特徴とする。
【００１３】
前記球払出部は、前記傾斜通路と、該傾斜通路に接続する落下通路とを形成するケース体に、前記駆動源により回転駆動される回転体が該落下通路の所定位置で回転可能に組み付けられた球払出装置として一体に形成されていることを特徴とする。
【００１４】
前記貯留タンク、タンクレール及び球払出装置は、内枠上辺ユニットとして一体に組み付けられていることを特徴とする。
【発明の効果】
【００１５】
上述した遊技機を用いれば、球払出部として傾斜通路に接続される落下通路に回転軌道が入り込んで回転可能な回転体が配置されているので、貯留タンクから球払出位置までの遊技球の移動経路が短く、回転体の回転速度を速めて遊技球を短時間で大量に払い出すことができる。また、回転体の外周面に形成された球受け凹部に遊技球が受け止められたまま当該回転体が回転することで遊技球が落下通路の下流側へ払い出されるので、回転体に遊技球との接触力が負荷となって作用せず、回転体をスムーズに回転させることができる。
また、落下通路へ落下した１番目（最先）の遊技球を受け止めたまま２番目（次）に落下する遊技球のみが、傾斜通路に存在する３番目以降の遊技球と離間して落下通路内を落下して１番目の遊技球と連なる。よって、遊技球の傾斜通路の転がり移動と落下通路の落下移動との時間差を形成することができるので、回転体に作用する球圧が小さく遊技球との接触力も小さいので、駆動源を低トルクで回転駆動することができ、消費電力も抑えることができる。
【００１６】
回転体は、落下通路の上流側で傾斜通路との接続部近傍に配置され、球受け凹部に１番目の遊技球を収容し２番目の遊技球が連なったまま回転して落下通路から１番目の遊技球が払い出されるたびに、３番目の遊技球が傾斜通路から落下通路へ落下して２番目の遊技球と連なる動作が繰り返される。よって、落下通路において回転体に受け止められた最先の遊技球に連なる後続の遊技球が必ず１個となるように払い出し動作が繰り返えされるので、回転体による遊技球の球噛みや球詰まりの発生を抑制することができる。
【００１７】
傾斜通路に接続する落下通路は複数条形成されており、一つの回転体の外周面に位相を異にして形成された球受け凹部に遊技球が受け止められて当該球受け凹部と落下通路の壁面との間に形成される通路内を交互に払い出される。よって、回転体の外周面で遊技球を受け止める時間を交互に作り出すことで、遊技球の落下通路の落下移動に対する傾斜通路の転がり移動の遅れを相互に補完することで各落下通路からの遊技球の払い出し動作を交互に効率よく行なうことができる。
【００１８】
回転体は、傾斜通路を遊技球が転がり落ちる転がり底壁面と連続する落下通路の側壁面開口部から当該落下通路内に突出して配置されているので、落下通路を外側に膨らむことなく形成して球払出装置を小型化してコンパクトに組み付けることができる。
【００１９】
球払出部は、傾斜通路と、該傾斜通路に接続する落下通路とを形成するケース体に、駆動源により回転駆動される回転体が該落下通路の所定位置で回転可能に組み付けられた球払出装置として一体に形成されていると、ケース体の傾斜通路とタンクレールの終端部との接続をとるだけで遊技機本体への組み付け位置が決まるため、組み付けが容易になる。
【００２０】
また、貯留タンク、タンクレール及び球払出装置は、内枠上辺ユニットとして一体に組み付けられていると、内枠の組み立てが容易に行なえる。
【図面の簡単な説明】
【００２１】
【図１】パチンコ機の正面図である。
【図２】図１のパチンコ機の背面図である。
【図３】図１の内枠外形を構成する内枠ユニットの分解斜視図である。
【図４】内枠上辺部ユニットの分解斜視図である。
【図５】球払出装置の分解斜視図である。
【図６】球払出装置の払出動作の変化を示す模式図である。
【図７】球払出装置の背面図、矢印Ａ−Ａ方向断面図、一部切欠き斜視図である。
【発明を実施するための形態】
【００２２】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２３】
先ずパチンコ機１の概略構成について説明すると、図１において、パチンコ機１の外形をなす矩形状の外枠２の側部に対して上ヒンジ部３ａ，下ヒンジ部３ｂにより内枠３（図２参照）が開閉可能に取り付けられ、該内枠３の側部に対して上ヒンジ部４ａ，下ヒンジ部４ｂにより前面枠（ガラス枠）５が開閉可能に取り付けられている。
【００２４】
内枠３の前面側には遊技盤６が設けられると共に該遊技盤６の下方には遊技領域へ向かって遊技球を発射する球発射装置（図示せず）が組み付けられている。また、遊技盤６には、ガイドレール７によって全体として円形の遊技領域が形成され、その遊技領域には図柄表示装置（液晶表示装置）８、電動チューリップ９，アタッカー１０などの入賞装置等が設けられている。
【００２５】
また、図１において、前面枠５の上辺部に沿って装飾装置１１が設けられている。また、前面枠５の下方には遊技球を一時的に貯留し、該遊技球を球発射装置へ誘導する球受け皿１２が一体に設けられている。球受け皿１２の右側には、球発射装置によって遊技領域へ発射される遊技球の発射力を調節するための発射ハンドル１３が設けられている。
【００２６】
図２において、内枠３の背面側上辺部には貯留タンク１４が設けられ、貯留タンク１４にはパチンコ機１が配置されたホールの島から遊技球が供給される。貯留タンク１４は、球供給方向下流側に設けられるタンクレール１５に向けて底部が下方に傾斜するように形成されている。タンクレール１５の下流端と内枠左辺部（正面視）に沿って設けられた球払出通路１７とが交差する部位には、球払出部としての球払出装置１６が設けられている。貯留タンク１４に供給された遊技球は、タンクレール１５を通じて球払出装置１６に供給され、球払出装置１６は、払出指令に応じて所定数の遊技球を貸球や賞球として払い出される。球払出装置１６より払い出された遊技球は、球払出通路１７（上部払出通路１７ａ、中央払出通路１７ｂ、下部払出通路１７ｃを含む）を通じて流下し、球払出樋１８を経て球受け皿１２（図１参照）へ払い出される。
【００２７】
遊技盤６の背面側は遊技動作を統括制御する主制御基板や図柄表示装置を制御する画像処理基板等（図示せず）が設けられており、これらは盤裏カバー１９に覆われている。盤裏カバー１９の下方にはパチンコ機１の電源電圧を制御する電源基板や球払出装置１６の払出し動作を制御する払出制御基板などの制御ユニットが基板ケースカバー２０に覆われている。
【００２８】
次に、球払出装置１６の構成について、図３乃至図５を参照して説明する。
図３において、内枠３の外形は内枠上辺ユニット２１、内枠左辺ユニット２２、内枠右辺ユニット２３、内枠下辺ユニット２４を矩形に組み合わせて形成される。具体的には、内枠上辺ユニット２１と内枠下辺ユニット２４を、内枠左辺ユニット２２と内枠右辺ユニット２３とで両側から挟み込んで内枠外形が矩形状に組み付けられる。
内枠左辺ユニット２２には、後述するように球払出通路１７（中央払出通路１７ｂ）が形成されており、内枠右辺ユニット２３には、内枠３を外枠２に施錠する施錠装置２７が設けられている。
【００２９】
図４において、内枠上辺ユニット２１について説明する。内枠上辺ユニット２１には、上辺ユニット本体２１ａの左肩部分（正面視）には上ヒンジ部４ａが設けられている。上辺ユニット本体２１ａには、貯留タンク１４、タンクレール１５、球払出装置１６、上部払出通路１７ａが一体に組み付けられる。
【００３０】
貯留タンク１４は上辺ユニット本体２１ａの上部に一体に組み付けられる。また、貯留タンク１４の下部にはタンクレール１５が一体に組み付けられ、タンクレール１５の終端部には傾斜通路１５ａが形成されている。また、タンクレール１５の下流端（上辺ユニット本体２１ａの背面側左端部）には、球払出装置１６が押さえ部材２５により押さえ込まれて一体に組み付けられる（図３参照）。
【００３１】
図５は球払出装置１６の分解斜視図である。
ベース部２５の背面側にはステッピングモータ２６（駆動源）がモータ軸２６ａを前方に挿通して一体に組み付けられる。モータ軸２６ａにはモータギア２６ｂが嵌め込まれている。ベース部２５の前面側には、第１ケース体１６ａと第２ケース体１６ｂが仕切り板１６ｃを介して重ね合わせて一体に組み付けられる。
【００３２】
第１ケース体１６ａと第２ケース体１６ｂには、タンクレール１５の傾斜通路１５ａに接続する傾斜通路１６ｄ、傾斜通路１６ｄから内枠左辺部（正面視）に沿って上下方向に接続する落下通路１６ｅが各々交差するように各々形成されている。
第１ケース体１６ａと第２ケース体１６ｂに設けられた落下通路１６ｅの球払出位置には、回転体収容部１６ｆ（壁面開口部）が各々形成されており、各回転体収容部１６ｆには、柱状の回転体１６ｇがその回転軌道が落下通路１６ｅ内へ各々入り込んで配置されている。回転体１６ｇの回転軸１６ｈは、ベース部２５と第２ケース体１６ｂの間で支持されている。ベース部２５側に延設された回転軸１６ｈには、伝達ギア１６ｉが嵌め込まれている。伝達ギア１６ｉはモータギア２６ｂと噛み合っている。伝達ギア１６ｉの軸受部１６ｊは第１ケース体１６ａの回転体収容部１６ｆに配置されて軸方向に第１ケース体１６ａに延設された回転体１６ｇと嵌め合うことで一体となって回転する。
【００３３】
また、図５において、回転体１６ｇの外周面１６ｍには、当該回転体１６ｇの外周面１６ｍを一部切り欠いた球受け凹部１６ｋ１，１６ｋ２が周方向に２箇所に各々形成されている。球受け凹部１６ｋ１，１６ｋ２に遊技球を収容したまま回転することにより下流側へ送り出す。本実施形態では、球払出通路１７が２条形成されることから（図３；図番１７ｂ参照）、第１ケース体１６ａと第２ケース体１６ｂとでは、回転体１６ｇの外周面１６ｍに位相を異にして球受け凹部１６ｋ１，１６ｋ２が各々形成されている。具体的には、第２ケース体１６ｂの回転体１６ｇの外周面１６ｍに形成された球受け凹部１６ｋ２と、第１ケース体１６ａの回転体１６ｇの外周面１６ｍに形成された球受け凹部１６ｋ１とは、周方向で位相が９０度異なる位置に形成されている。本実施の形態では、回転体１６ｇの外周面１６ｍに球受け凹部１６ｋ１と球受け凹部１６ｋ２が軸方向に落下通路１６ｅの２条分にわたって形成されているため（図７（ａ）（ｂ）参照）、遊技球を受け止める外周面１６ｍは各落下通路１６ｅに応じた軸方向位置に円弧面が周方向で９０度位相が異なる位置に突出形成されている（図７（ｃ）参照）。また、伝達ギア１６ｉは、第１ケース体１６ａの落下通路１６ｅに臨む軸受部１６ｊの外周面に、球受け凹部１６ｋ３が回転体１６ｇの球受け凹部１６ｋ１と同位相で周方向に２箇所に形成されている（図７（ｃ）参照）。
【００３４】
図２において、球払出装置１６（落下通路１６ｅ；図５参照）は、上部払出通路１７ａと接続されている。上部払出通路１７ａはその下流側に設けられる中央払出通路１７ｂと接続されている。上部払出通路１７ａの下端側は、流下する球圧を軽減するため中央払出通路１７ｂと湾曲して接続されている。中央払出通路１７ｂは、下部払出通路１７ｃと接続されている。下部払出通路１７ｃは湾曲形状に形成されており払出樋１８と接続されている。
【００３５】
図６（ａ）に示すように、傾斜通路１６ｄから落下通路１６ｅへ落下した遊技球は当該落下通路１６ｅに回転軌道が入り込んで配置された回転体１６ｇの外周面１６ｍで一旦受け止められる。回転体１６ｇの図面上時計回り方向への回転に従って遊技球は球受け凹部１６ｋ１，１６ｋ３（図５，図７（ｃ）参照）若しくは球受け凹部１６ｋ２に収容されて落下通路１６ｅとの壁面との間に形成される球通路を交互に払い出される。回転体１６ｇから払い出された遊技球は、上部払出通路１７ａ、中央払出通路１７ｂ、下部払出通路１７ｃ、球払出樋１８を通じて球受け皿１２へ払い出される（図２参照）。
【００３６】
図６（ａ）に示すように回転体１６ｇは、最先の遊技球Ｙ１を外周面１６ｍで受け止めたときに、落下通路１６ｅにおいて上流側に待機する遊技球Ｙ２が１個となるように、球払出通路１７より上流側の落下通路１６ｅの中途部で傾斜通路１５との接続部近傍に配置されている。よって、図６（ｂ）に示すように、回転体１６ｇが最先の遊技球Ｙ１を球受け凹部１６ｋ２（若しくは１６ｋ１，１６ｋ３）に収容したときに（落下通路１６ｅの下流側に払い出すときに）、後続の遊技球Ｙ３の傾斜通路１６ｄの転がり移動と遊技球Ｙ２の落下通路１６ｅの落下移動とで時間差を形成することができるので、最先の遊技球Ｙ１に次の遊技球Ｙ２だけが追従することとなり、回転体１６ｇに作用する球圧が小さく、ステッピングモータ２６を低トルクで回転駆動することができ、消費電力も抑えることができる。また、遊技球との接触力が小さく球圧も小さいため、落下通路１６ｅやこれに接続する球払出通路１７において球噛みや球詰まりの発生を抑制することができる。
【００３７】
尚、実験によれば、球払出装置１６の回転体１６ｇの設置位置を、傾斜通路１６ｄと落下通路１６ｅが交差する外側角部（遊技球の転がり面と反対側角部）に配置した場合、或いは外側角部より傾斜通路１６ｄ側へ遡った位置に設けた場合には、傾斜通路１６ｄを流下する遊技球どうしが連ならない状態があるため、適度な球圧が作用しないため回転体１６ｇと遊技球が球噛みを起こしたり空送りが発生し易くなったりすることが判明している。
また、回転体１６ｇの回転トルクや消費電力を軽減することを考慮すれば、落下通路１６ｅにおいて回転体１６ｇに受け止められる遊技球は２個（Ｙ１とＹ２）であることが望ましい。
【００３８】
また回転体１６ｇは、傾斜通路１６ｄを遊技球が転がり落ちる転がり底壁面と連続する落下通路１６ｅの側壁面開口部に設けられた回転体収容部１６ｆに配置されているので、傾斜通路１６ｄや落下通路１６ｅが外側に膨らむことはなく、球払出装置１６を小型化して設置面積を減らしてコンパクトに組み付けることができる。
【００３９】
また傾斜通路１５ａ，１６ｄ、落下通路１６ｅ及び球払出通路１７は、２条に形成されており（図２参照）、一つの回転体１６ｇの外周面１６ｍに位相を９０度異なる位置に形成された球受け凹部１６ｋ１，１６ｋ３若しくは球受け凹部１６ｋ２により遊技球が交互に受け止められて当該球受け凹部１６ｋ１，１６ｋ２，１６ｋ３と落下通路１６ｅとの壁面との間に形成される球通路を交互に払い出される。
【００４０】
ここで、第１ケース体１６ａと第２ケース体１６ｂに形成される傾斜通路１６ｄ，落下通路１６ｅにおける遊技球Ｙの払い出し動作について、図６（ａ）〜（ｄ）を参照して説明する。以下では、一方側である第２ケース体１６ｂ内の傾斜通路１６ｄ，落下通路１６ｅにおける遊技球Ｙの払い出し動作について説明するものとし第１ケース体１６ａは同様であるので説明を省略する。
【００４１】
図６（ａ）は、回転体１６ｇが初期位置（停止位置）にある状態を示す。このとき、回転体１６ｇの外周面１６ｍは落下通路１６ｅ内へ回転軌道が入り込んで設けられているため、傾斜通路１６ｄから落下通路１６ｅへ流下した遊技球Ｙは一旦回転体１６ｇの外周面１６ｍに受け止められる。このとき、落下通路１６ｅに落下する遊技球は先頭の遊技球Ｙ１と後続の遊技球Ｙ２のみである。尚、このとき、第１ケース体１６ａにおける落下通路１６ｅでは、図６（ｂ）のように回転体１６ｇの位相が９０度異なった状態にある。
【００４２】
図６（ｂ）は、回転体１６ｇが図６（ａ）に示す初期位置から９０度時計回り方向へ回転した状態を示す。先頭の遊技球Ｙ１は球受け凹部１６ｋ２に収容されたまま落下通路１６ｅ内を下流側に向けて送り出される。また、これにともない後続の遊技球Ｙ３は傾斜通路１６ｄから落下通路１６ｅに向って流下する。尚、このとき、第１ケース体１６ａの落下通路１６ｅでは、図６（ａ）のように回転体１６ｇの位相が９０度異なる状態、即ち、遊技球が回転体１６ｇの外周面１６ｍに受け止められた状態にある。
【００４３】
図６（ｃ）は、回転体１６ｇが図６（ｂ）に示す回転位置からさらに４５度（初期位置から１３５度）時計回り方向へ回転した状態を示す。球受け凹部１６ｋ２に収容された先頭の遊技球Ｙ１は、球払出通路１７へ向けて流下する。また後続の遊技球Ｙ２は回転体１６ｇに受け止められたままとなる。
【００４４】
図６（ｄ）は、回転体１６ｇが図６（ｃ）に示す回転位置からさらに所定角度時計回り方向へ回転した状態を示す。回転体１６ｇに受け止められた遊技球Ｙ２に後続の遊技球Ｙ３が落下した状態を示す。尚、遊技球の転がり速度より落下速度のほうが速いため、後続の遊技球Ｙ３は傾斜通路１６ｄより直ちに落下通路１６ｅへ連なって落下せず、僅かな時間差をおいて落下する。これにともなって後続の遊技球Ｙ４は傾斜通路１６ｄをさらに流下する。さらに、回転体１６ｇが回転して、初期位置から１８０度回転すると、図６（ａ）の状態となり、先頭の遊技球Ｙ２の送り出し動作が開始される。
【００４５】
以上のように、回転体１６ｇが１８０度回転するごとに、先頭の遊技球Ｙが球受け凹部１６ｋ２に収容されて下流側へ払い出される。この遊技球の払い出し動作が、第２ケース体１６ｂと第１ケース体１６ａ側で交互に行なわれる。よって、回転体１６ｇの外周面１６ｍで遊技球を受け止める時間を交互に作り出すことで、遊技球の落下通路１６ｅの落下移動に対する傾斜通路１６ｄの転がり移動の遅れを相互に補完することで各落下通路１６ｅからの遊技球の払い出し動作を交互に効率よく行なうことができる。
また、落下通路１６ｅにおいて回転体１６ｇに受け止められる遊技球は２個だけであるので、回転体１６ｇに作用する球圧は小さいため球噛みや空送りは生じない。
【００４６】
上述した実施形態では、第１、第２ケース体１６ａ，１６ｂに傾斜通路１６ｄが形成されていたが、タンクレール１５の傾斜通路１５ａと接続する落下通路１６ｅのみが形成されていてもよい。傾斜通路１６ｄ、落下通路１６ｅ、球払出通路１７は２条に形成されていたが、３条以上設けることも可能である。
また、回転体１６ｇの径が大きくなるが、球受け凹部１６ｋの数も周方向に２箇所に限らず、３箇所以上設けることも可能である。
また、遊技機の一例としてパチンコ機について説明したが、他の遊技機、例えば雀球遊技機やアレンジボール遊技機などに適用してもよい。
【符号の説明】
【００４７】
１  パチンコ機
２  外枠
３  内枠
３ａ，４ａ  上ヒンジ部
３ｂ，４ｂ  下ヒンジ部
５  前面枠
６  遊技盤
７  ガイドレール
８  図柄表示装置（液晶表示装置）
９  電動チューリップ
１０  アタッカー  
１１  装飾装置  
１２  球受け皿  
１３  発射ハンドル  
１４  貯留タンク  
１５  タンクレール  
１５ａ、１６ｄ  傾斜通路  
１６  球払出装置（球払出部）  
１６ａ  第１ケース体  
１６ｂ  第２ケース体  
１６ｃ  仕切り板  
１６ｅ  落下通路  
１６ｆ  回転体収容部（壁面開口部）  
１６ｇ  回転体  
１６ｈ  回転軸  
１６ｉ  伝達ギア  
１６ｊ  軸受部  
１６ｋ１，１６ｋ２，１６ｋ３  球受け凹部  
１６ｍ  外周面
１７  球払出通路  
１７ａ  上部払出通路  
１７ｂ  中央払出通路  
１７ｃ  下部払出通路  
１８  球払出樋  
１９  盤裏カバー  
２０  基板ケースカバー
２１  内枠上辺ユニット  
２２  内枠左辺ユニット  
２３  内枠右辺ユニット  
２４  内枠下辺ユニット  
２５  ベース部  
２６  サーボモータ  
２６ａ  モータ軸  
２６ｂ  モータギア
２７  施錠装置
【図１】
2010259631.tif 000003
【図２】
2010259631.tif 000004
【図３】
2010259631.tif 000005
【図４】
2010259631.tif 000006
【図５】
2010259631.tif 000007
【図６】
2010259631.tif 000008
【図７】
2010259631.tif 000009